(57)【特許請求の範囲】
【請求項１】
光記録媒体のトラックに対してパケット単位でデータを記録するデータ記録手段と、
上記データが記録されたトラックの目次情報を消去することによって、該データを擬似的に消去するデータ擬似消去手段と、
上記データ擬似消去手段により上記データを擬似的に消去した後に、上記データが記録されたパケットの最終位置を示す情報を上記トラックのプレギャップに記録するパケット位置記録手段と、
上記データ擬似消去手段により上記データを擬似的に消去した後に、上記データが擬似的に消去されたことを示す情報を上記トラックのプレギャップに記録する擬似消去情報記録手段と、
上記擬似的に消去されたデータを消去するデータ消去手段と、
上記パケットの最終位置を示す情報に基づいて、該パケットの最終位置まで新たなデータが更新されるか否かを判別するデータ判別手段とを備え、
上記データ記録手段が、上記トラックのプレギャップを参照して、上記データが擬似的に消去されたことを示す情報が記録されていると判別した場合であって、上記データ判別手段により上記パケットの最終位置まで新たなデータが更新されると判断されたときは、上記データ記録手段が、上記データが擬似的に消去されたトラックに対して新たなデータを記録し、
上記データ記録手段が、上記データが擬似的に消去されたことを示す情報が記録されていると判別した場合であって、上記データ判別手段により上記パケットの最終位置まで新たなデータが更新されないと判断されたときは、上記データ記録手段が、上記データが擬似的に消去されたトラックに対して新たなデータを記録した後に、上記データ消去手段が、上記擬似的に消去されたデータの残りのデータを消去するデータ記録装置。
【請求項２】
上記光記録媒体は、複数のトラックを有し、
上記パケット位置記録手段は、上記パケットの最終位置を示す情報を上記複数のトラックのうち、先頭のトラックのプレギャップに記録する請求項１記載のデータ記録装置。
【請求項３】
上記パケット位置記録手段は、上記新たなデータが記録されたパケットの最終位置を示す情報を光記録媒体に記録する請求項１記載のデータ記録装置。
【請求項４】
光記録媒体のトラックに対してパケット単位でデータを記録し、
上記データが記録されたトラックの目次情報を消去することによって、該データを擬似的に消去し、
上記データを擬似的に消去した後に、上記データが記録されたパケットの最終位置を示す情報と上記データが擬似的に消去されたことを示す情報とを上記トラックのプレギャップに記録し、
上記トラックのプレギャップを参照して、上記データが擬似的に消去されたことを示す情報が記録されていると判別した場合には、上記パケットの最終位置を示す情報に基づいて、上記パケットの最終位置まで新たなデータが更新されるか否かを判別し、該パケットの最終位置まで新たなデータが更新されると判断されたときは、上記データが擬似的に消去されたトラックに対して新たなデータを記録し、上記パケットの最終位置まで新たなデータが更新されないと判断されたときは、上記データが擬似的に消去されたトラックに対して新たなデータを記録した後に、上記擬似的に消去されたデータの残りのデータを消去するデータ記録方法。
【請求項５】
上記光記録媒体は、複数のトラックを有し、
上記パケットの最終位置を示す情報を上記複数のトラックのうち、先頭のトラックのプレギャップに記録する請求項４記載のデータ記録方法。
【請求項６】
上記新たなデータが記録されたパケットの最終位置を示す情報を光記録媒体に記録する請求項４記載のデータ記録方法。
【発明の詳細な説明】
【０００１】
本発明は、光記録媒体のトラックに対してパケット単位でデータを記録するデータ記録装置及びデータ記録方法に関する。
【０００２】
【従来の技術】
コンパクトディスク（ＣＤ）等の光ディスクは、その記録面に形成されたピットと呼ばれる小孔によってデータが記録されており、このピットの有無と長さを読み取ることによりデータの再生が行われる。また、このようなＣＤ規格に準拠したものの中には、ＣＤ−Ｒ（CD-Recordable)のようにデータの追記が可能な光ディスクや、ＣＤ−ＲＷ（CD-Rewritable）のようにデータの書き換えが可能な光ディスク等がある。
【０００３】
【発明が解決しようとする課題】
ところで、これらＣＤ−ＲやＣＤ−ＲＷに対するデータの記録方法としては、ＣＤ規格にて規定された論理トラック単位でデータを記録する方法が一般的であるが、この論理トラックの最大書き込み数が９９個と制限されているために、これら光ディスクが有する記憶容量を十分に活用することができないといった問題があった。
【０００４】
詳述すると、このようなＣＤ規格に準拠した書き込み可能な光ディスクには、記録対象データを任意の大きさの論理トラック単位で最大９９個まで記録するプログラムエリアと、このプログラムエリアに記録されたトラックの目次情報を記録するＴＯＣ（Table Of Contents）と、プログラムエリアへのデータの記録を行う上で必要な情報を一時的に記録するＰＭＡ（Program Memory Area）とが設けられている。
【０００５】
そして、記録対象データが論理トラックに記録されると、このデータが記録された論理トラックの番号、並びに論理トラックの記録開始及び記録終了の位置を示す情報等が、ＰＭＡに記録されることになる。また、データが記録された論理トラックの最終位置から新たなデータを記録する場合、上述したＰＭＡに記録されたトラックの位置情報を読み取ることにより、論理トラックの最終位置から続けて新たなデータが記録され、この新たに記録された論理トラックの位置情報等がＰＭＡに記録されることになる。
【０００６】
しかしながら、この光ディスクでは、プログラムエリアに９９個の論理トラックが記録されると、このプログラムエリア内に記録可能な領域が残っていたとしても、新たなデータを記録することは不可能となる。このため、光ディスクでは、その記憶容量を十分に活用できないといった不都合が生じてしまう。
【０００７】
そこで、このような不都合を解決するために、いわゆるパケットライトと呼ばれる記録方法が提案されている。このパケットライトは、ＣＤ規格に準拠しながら、従来のトラック単位よりもさらに小さなパケット単位でデータを記録する方法であり、一つの論理トラックに対して複数のパケットを構成することができる。すなわち、この光ディスクでは、記録対象データを論理トラックに対してパケット単位で記録することにより、９９個の論理トラックを超えた単位でのデータの記録が可能となる。したがって、このようなＣＤ規格に準拠した光ディスクであっても、その記録容量を十分に活用することが可能となる。
【０００８】
しかしながら、光ディスクでは、論理トラックの位置を示す情報等についてはＰＭＡに記録されるものの、パケットの位置を示す情報については記録されておらず、パケットライトによるデータの追記を行う際に、論理トラックのデータが記録されたパケットの最終位置、すなわち論理トラックの新たなデータが記録可能な位置ＮＷＡ（Next Writable Address）を、この論理トラックの先頭から末尾まで検索しながら探し出さなくてはならなかった。
【０００９】
従来、このＮＷＡを探し出す方法としては、上述したように対象となる論理トラックの先頭から末尾まで順次検索していく方法、或いは、対象となる論理トラックの中間位置の記録状態を繰り返し検索しながら、その範囲を絞り込んでいく方法が用いられている。
【００１０】
しかしながら、光ディスクでは、検索される論理トラックの記録領域が増大するに従って、この論理トラックのＮＷＡを探し出す時間も長くなってしまう。このため、光ディスクでは、論理トラックに対してパケット単位でデータを記録する際に、記録速度の低速化を招いてしまうといった問題があった。
【００１１】
ところで、書き換え可能な光ディスクを記録再生する光ディスク装置には、光ディスクの全面に亘ってデータを消去する、いわゆるブランク（Blank）機能とともに、光ディスクのデータが記録されたトラックの目次情報のみを消去することにより、データを擬似的に消去する、いわゆるミニマリー・ブランク（Minimally Blank）機能が設けられている。
【００１２】
このミニマリー・ブランク機能では、目次情報であるＰＭＡに記録されたデータと、リードインエリア及びリードアウトエリアに記録されたデータと、トラックのプレギャップに記録されたデータとを消去すれば、プログラムエリアに記録されたデータを擬似的に消去することができるので、光ディスクに記録されたデータを最小時間で消去することができる。
【００１３】
しかしながら、上述した論理トラックに対してパケット単位でデータが記録された光ディスクでは、論理トラックに対するデータの擬似的な消去が行われた後に、パケットライトによるデータの追記が行われると、この論理トラックのデータが擬似的に消去された領域に、実際には疑似的な消去が行われる前のデータが記録されているために、この擬似的に消去されたデータを実際のデータと判断して、誤った位置からデータを追記してしまうことがあった。すなわち、この光ディスクでは、データが記録された論理トラックの目次情報は消去されるものの、実際のデータは記録されたままであり、パケットの位置を示す情報については記録されていないことから、上述したＮＷＡを探し出す際に、擬似的に消去されたデータを実際のデータと誤って判断して、誤った位置からデータを記録してしまうといった問題があった。
【００１４】
そこで、本発明はこのような従来の事情に鑑みて提案されたものであり、トラックに対してパケット単位でデータが記録される光記録媒体に対して、データが擬似的に消去された後に、新たなデータを記録する際に、この新たなデータが記録可能な位置を正確且つ短時間に検出し、新たなデータを適切に記録することを可能としたデータ記録装置及びデータの記録方法を提供することを目的とする。
【００１５】
【課題を解決するための手段】
この目的を達成する本発明に係るデータ記録装置は、光記録媒体のトラックに対してパケット単位でデータを記録するデータ記録手段と、データが記録されたトラックの目次情報を消去することによって、該データを擬似的に消去するデータ擬似消去手段と、データ擬似消去手段によりデータを擬似的に消去した後に、データが記録されたパケットの最終位置を示す情報をトラックのプレギャップに記録するパケット位置記録手段と、データ擬似消去手段によりデータを擬似的に消去した後に、データが擬似的に消去されたことを示す情報をトラックのプレギャップに記録する擬似消去情報記録手段と、擬似的に消去されたデータを消去するデータ消去手段と、パケットの最終位置を示す情報に基づいて、該パケットの最終位置まで新たなデータが更新されるか否かを判別するデータ判別手段とを備え、上記データ記録手段が、上記トラックのプレギャップを参照して、上記データが擬似的に消去されたことを示す情報が記録されていると判別した場合であって、上記データ判別手段により上記パケットの最終位置まで新たなデータが更新されると判断されたときは、上記データ記録手段が、上記データが擬似的に消去されたトラックに対して新たなデータを記録し、上記データ記録手段が、上記データが擬似的に消去されたことを示す情報が記録されていると判別した場合であって、上記データ判別手段により上記パケットの最終位置まで新たなデータが更新されないと判断されたときは、上記データ記録手段が、上記データが擬似的に消去されたトラックに対して新たなデータを記録した後に、上記データ消去手段が、上記擬似的に消去されたデータの残りのデータを消去する。
【００１６】
このデータ記録装置では、パケット位置記録手段が、データが記録されたパケットの最終位置を示す情報を光記録媒体に記録し、このパケットの最終位置を示す情報に基づいて、データ記録手段が、データが擬似的に消去されたトラックに対して新たなデータを記録することから、新たなデータが記録可能な位置を正確且つ短時間に検出することができ、データが擬似的に消去されたトラックに対して新たなデータを適切に記録することができる。
【００１７】
また、本発明に係るデータ記録方法は、光記録媒体のトラックに対してパケット単位でデータを記録し、データが記録されたトラックの目次情報を消去することによって、該データを擬似的に消去し、データを擬似的に消去した後に、データが記録されたパケットの最終位置を示す情報とデータが擬似的に消去されたことを示す情報とをトラックのプレギャップに記録し、トラックのプレギャップを参照して、データが擬似的に消去されたことを示す情報が記録されていると判別した場合には、パケットの最終位置を示す情報に基づいて、パケットの最終位置まで新たなデータが更新されるか否かを判別し、該パケットの最終位置まで新たなデータが更新されると判断されたときは、データが擬似的に消去されたトラックに対して新たなデータを記録し、パケットの最終位置まで新たなデータが更新されないと判断されたときは、データが擬似的に消去されたトラックに対して新たなデータを記録した後に、擬似的に消去されたデータの残りのデータを消去する。
【００１８】
このデータ記録方法では、新たなデータが記録可能な位置を正確且つ短時間に検出することができ、データが擬似的に消去されたトラックに対して新たなデータを適切に記録することができる。
【００２１】
【発明の実施の形態】
以下、本発明の実施の形態について図面を参照して詳細に説明する。
【００２２】
先ず、本発明を適用した光ディスクについて説明する。
【００２３】
この光ディスク１は、図１に示すように、ポリメチルメタクリレート（ＰＭＭＡ）やポリカーボネート（ＰＣ）等の樹脂材料が、外径寸法１２０ｍｍ、厚さ１．２ｍｍのディスク状に成形されてなるディスク基板２上に、記録対象データに応じた記録マークが形成される信号記録層３と、例えば金（Ａｕ）や銀（Ａｇ）等が成膜されてなる反射膜４と、例えば紫外線硬化樹脂等がスピンコートされてなる保護層５とが順次積層された構成とされている。
【００２４】
光ディスク１は、例えば追記可能なＣＤ−Ｒである場合、信号記録層３が有機色素系の材料により薄膜状に形成されている。この場合、光ディスク１では、信号記録層３に対して記録パワーでレーザービームが照射されることにより、このレーザービームが照射された位置に記録マークが形成され、データの書き込みが行われる。一方、記録マークが形成された信号記録層３に対して再生パワーでレーザービームが照射され、記録マークの有無に応じた戻り光の反射率変化が検出されることにより、データの読み出しが行われる。なお、ＣＤ−Ｒは、１回だけ記録が可能な光ディスクであり、そのフォーマットは、Orange Book Part2にて規格化されている。
【００２５】
また、光ディスク１は、例えば書き換え可能なＣＤ−ＲＷである場合、信号記録層３がレーザービームの加熱により結晶状態が変化する相変化材料により薄膜状に形成されている。この場合、光ディスク１では、信号記録層３に対して記録パワーでレーザービームが照射されることにより、このレーザービームが照射された位置に記録マークが形成され、データの書き込みが行われる。一方、記録マークが形成された信号記録層３に対して再生パワーでレーザービームが照射され、記録マークの有無に応じた戻り光の反射率変化が検出されることにより、データの読み出しが行われる。なお、ＣＤ−ＲＷは、何回も書き換えが可能な光ディスクであり、そのフォーマットは、Orange Book Part3にて規格化されている。また、ＣＤ−ＲＷは、物理特性上、ＣＤやＣＤ−Ｒの反射率が０．７以上であるのに対して、反射率が０．２程度と低いことから、弱い信号を増幅するＡＧＣ（Auto Gain Control)機能が付加された光ディスク装置３０で再生されることが望ましい。
【００２６】
ディスク基板２には、その中心部に中心孔が穿設されている。光ディスク１は、光ディスク装置により記録再生が行われる際に、この中心孔近傍が光ディスク装置の回転駆動機構により支持固定されて、所定の速度で回転駆動される。また、ディスク基板２は、記録再生に用いられるレーザービームに対して光透過性を有しており、このディスク基板２側からレーザービームが入射し、信号記録層３に対してデータの記録再生が行われる。
【００２７】
また、ディスク基板２のデータ記録領域となる部分には、図１及び図２に示すように、案内溝であるプリグルーブ６が、例えばスパイラル状に形成されている。そして、信号記録層３のプリグルーブ６に対応した部分が記録トラックとされ、この記録トラックに誤り訂正符号化処理やＥＦＭ変調処理が施されたユーザデータ等が記録されることとなる。
【００２８】
この光ディスク１では、図１乃至図３に示すように、隣接するプリグルーブ６の間がランド７とされており、これらプリグルーブ６のトラックセンターの間隔がトラックピッチとされている。また、プリグルーブ６は、正弦波状に蛇行（ウォブリング）するように形成されており、このウォブリングによって、ＦＭ変調された位置情報、すなわち記録トラック上の絶対位置を示す時間軸情報が、ＡＴＩＰ（Absolute Time In Pregroove)信号として記録されている。これは、例えば再生専用のＣＤ−ＲＯＭ（Read Only Memory）の場合、サブコードＱにエンコードされている絶対時間情報を利用すればよいのに対し、このような書き込み可能な光ディスク１では、記録前のディスク（ブランクディスク）の場合、この情報を利用することができないので、ウォブリングによるＡＴＩＰ信号を絶対時間情報として利用している。
【００２９】
このＡＴＩＰ信号は、図４に示すように、ウォブリングをプッシュプルにより検出したウォブル信号に、バイフェーズ（Bi-Phase）変調を施した後、ＦＭ変調を施したものである。詳述すると、ＡＴＩＰ信号は、光ディスク１を回転駆動するスピンドルモータの回転制御に用いるために、所定周期毎に１と０とが入れ替わり、且つ１と０との平均個数が１：１となるようにバイフェーズ変調され、平均周波数が２２．０５ｋＨｚとなるようにＦＭ変調されたものである。
【００３０】
このＡＴＩＰ信号は、光ディスク１を標準速度で回転させた際に、中心周波数が例えば２２．０５ｋＨｚとなるようにスピンドルモータの回転を制御すると、光ディスク１がRead Bookで規定する約１．２ｍ／ｓ〜１．４ｍ／ｓの線速度で回転することになる。
【００３１】
また、ＡＴＩＰ信号の１セクタは、ユーザデータの１データセクタ（２３５２バイト）と一致しており、ユーザデータを書き込む場合には、ＡＴＩＰ信号のセクタに対してユーザデータのデータセクタの同期を取りながら書き込みが行われる。
【００３２】
また、ＡＴＩＰ信号には、メーカーに推奨されるレーザービームの記録パワーが記録されている。なお、実際には、いろいろな条件により記録パワーの最適値が変化するので、記録前に最適な記録パワーを決定するための工程が設けられており、このことをＯＰＣ（Optimum Power Control）と呼んでいる。また、ＡＴＩＰ信号には、アプリケーションコードと呼ばれるディスクの使用目的が記録されており、その分類として、Restricted Useと、民生オーディオ用のUnrestricted Useとがある。さらに、Restricted Useは、一般業務用（General Purpose）とPhotoＣＤやKaraokeＣＤ等の特定用途（Special Purpose）とに分類される。
【００３３】
なお、光ディスク１では、例えば、トラックピッチが１．６μｍ、ウォブリングの周期が５４〜６３μｍ、ウォブリングの蛇行量が±０．０３μｍとされている。
【００３４】
ところで、ＣＤ−ＲやＣＤ−ＲＷのような書き込み可能な光ディスク１では、図５に示すように、信号記録層３に対してデータの書き込みが行われるデータ記録領域１０として、リードインエリア１１、プログラムエリア１２及びリードアウトエリア１３が設けられている。具体的に、この光ディスク１では、直径がφ１２０ｍｍとされており、リードインエリア１１がφ４６ｍｍ〜φ５０ｍｍの領域に亘って設けられ、プログラムエリア１２がφ５０ｍｍ〜φ１１６ｍｍの領域に亘って設けられ、リードアウトエリア１３がφ１１６ｍｍ〜φ１１８ｍｍの領域に亘って設けられている。
【００３５】
また、この光ディスク１には、リードインエリア１１のさらに内周側に位置して、レーザービームの記録パワーを最適化するための試し書きをするＰＣＡ（Power Calibration Area）１４と、追記のときに必要となる目次情報を一時保管するＰＭＡ（Program Memory Area）１５とが設けられている。また、ＰＣＡ１４は、実際に試し書きを行うためのテストエリア（Test Area）と、このテストエリアの使用状況を記録しておくカウントエリア（Count Area）とを有している。
【００３６】
すなわち、この光ディスク１には、図５に示すように、ディスク中心に近い内周側から順番に、ＰＣＡ１４と、ＰＭＡ１５と、データ記録領域１０として、リードインエリア１１、プログラムエリア１２及びリードアウトエリア１３とが設けられている。
【００３７】
なお、光ディスク１は、データ記録領域１０として、リードインエリア１１、プログラムエリア１２及びリードアウトエリア１３からなるセッションが複数設けられた、いわゆるマルチセッションと呼ばれる構成であってもよい。
【００３８】
データ記録領域１０において、リードインエリア１１は、プログラムエリア１２に書き込まれたデータの読み出しに利用される領域であり、例えばＴＯＣ（Table Of Contents）情報等が書き込まれる。そして、再生時には、このリードインエリア１１に書き込まれたＴＯＣ情報を読み取ることで、光ディスク装置の光学ピックアップが所望の論理トラックに瞬時にアクセスすることが可能となる。
【００３９】
一方、リードアウトエリア１３は、光ディスクに関する各種情報が記録される領域である。また、このリードアウトエリア１３は、光ディスク装置の光学ピックアップがオーバーランしてしまうことを防止する緩衝領域としての機能も有している。
【００４０】
そして、プログラムエリア１２は、図６（ａ）に示すように、実際にユーザデータが書き込まれる領域であり、記録されるデータ数に応じた複数の論理トラック１６を有している。また、これら複数の論理トラック１６には、それぞれ各論理トラック１６に関する情報が記録されるプレギャップ１７と、実際のユーザデータがパケット単位で記録されるユーザデータ領域１８とが設けられている。
【００４１】
このユーザデータ領域１８では、図６（ｂ）に示すように、ユーザデータをパケット単位で記録する際に、例えば１つのパケット１９の長さを所定のデータブロックに固定する固定長パケットライト方式を採用している。詳述すると、この固定長パケットライト方式は、書き換え可能な光ディスク１のプログラムエリア１２に複数の論理トラック１６を形成し、各論理トラック１６のユーザデータ領域１８内を複数のパケット１９に分割し、１つの論理トラック１６内の各パケット１９のユーザデータブロック数（ブロック長）を同数に固定し、各パケット１９毎にデータを一括して記録する方法である。したがって、固定長パケットライト方式では、１つの論理トラック１６内において、各パケット１９のパケット長が同じ長さとされている。換言すると、固定長パケットライト方式では、各パケット１９内におけるユーザデーターブロック数が同数とされている。
【００４２】
また、光ディスク１では、データ記録領域１０にフォーマット処理が施された際に、論理トラック１６の全域に亘って、固定長パケットが埋められることとなる。
【００４３】
なお、本発明では、１つのパケットの長さを可変とした可変長パケット方式を採用することも可能である。
【００４４】
パケット１９は、図６（ｃ）に示すように、光ディスク装置によりユーザデータにアクセスするときのアクセス単位となる複数のデータブロック２０からなり、通常２３５２バイトのユーザデータを含んでいる。
【００４５】
また、パケット１９には、隣接するパケット１９同士の書き繋ぎに必要なリンク用ブロック２１が付加されている。このリンク用ブロック２１は、ユーザデータがインターリーブされることに起因して、書き繋ぎ位置でユーザデータに欠落が生じてしまうことを防止するためのガード領域として、所定のリンキングルールに従って設けられている。すなわち、このリンク用ブロック２１は、パケット１９の先頭に付加された１つのリンクブロック２２と、このリンクブロック２２に連続して設けられた４つのランインブロック２３と、このパケット１９の末尾に付加された２つのランアウトブロック２４とから構成されている。
【００４６】
したがって、先行するパケット１９のデータブロック２０と後続するパケット１９のデータブロック２０とは、先行するパケット１９の末尾に付加されたランアウトブロック２４と、後続するパケット１９の先頭に付加されたリンクブロック２２及びランインブロック２３とからなる複数のリンク用ブロック２１を介して書き繋がれることになる。
【００４７】
次に、本発明を適用した光ディスク装置の一例を図７に示す。
【００４８】
この光ディスク装置３０では、上記光ディスク１がスピンドルモータ３１により回転駆動されるとともに、このスピンドルモータ３１の回転速度がスピンドルモータ駆動回路３２により制御されている。光学ピックアップ３３は、光ディスク１に対してレーザービームを照射し、この光ディスク１から反射して戻ってくる戻り光の強弱（反射率変化）を検出する。そして、検出された出力信号がＲＦアンプ３４へと送られる。ＲＦアンプ３４は、送られた出力信号に信号増幅等の信号処理を施すことにより、ＲＦ信号（ＲＦ）、フォーカスエラー信号（ＦＥ）及びトラッキングエラー信号（ＴＥ）を生成する。そして、ＲＦ信号（ＲＦ）が信号処理部３５に送られるとともに、フォーカスエラー信号（ＦＥ）及びトラッキングエラー信号（ＴＥ）がサーボ制御部３６へと送られる。
【００４９】
信号処理部３５では、ＲＦ信号（ＲＦ）に対してＥＦＭ復調やエラー訂正を施したデータの中から、サブコード情報やＡＴＩＰ情報を抽出する。そして、これらの情報に基づいて、ＭＰＵ３７が各種制御を行うことになる。また、メモリー３８は、信号処理部３５がＥＦＭ復調やエラー訂正を行う際に用いられる。また、メモリー３８は、ホストＩ／Ｆ３９から送られるデータを一時的に保存したり、ホストコンピュータ（ＰＣ）に対してデータを転送するためのキャッシュとして用いられる。
【００５０】
また、光ディスク１に記録されるデータは、ホストコンピュータ（ＰＣ）からホストＩ／Ｆ３９を介してメモリー３８に送られて一時的に保存された後、或いは、直接ホストＩ／Ｆ３９を介してＥＦＭ変調部４０へと送られる。そして、ＥＦＭ変調部４０に送られた記録データは、レーザー変調回路４１により変調された後、この記録データの出力信号が光学ピックアップ３３へと送られる。そして、光学ピックアップ３３は、レーザー変調回路４１から送られた出力信号に基づいて、スライド駆動部４２により駆動されながら、光ディスク１に対してレーザービームを照射し、データの書き込みを行うことになる。
【００５１】
スライド駆動部４２は、スライド駆動回路４３により駆動制御されている。すなわち、スライド駆動回路４３は、サーボ制御部３６及びＭＰＵ３７から送られる制御信号に基づいて、スライド駆動部４２の駆動の制御を行う。サーボ制御部３６は、ＲＦアンプ３４から送られるフォーカスエラー信号（ＦＥ）及びトラッキングエラー信号（ＴＥ）と、信号処理部３５から送られるディスクの回転信号とを、各種サーボ制御を行う制御信号に変換する。すなわち、フォーカスエラー信号（ＦＥ）は、サーボ制御部３６により光ディスク１の信号記録面に対して焦点が合うように対物レンズを駆動制御するＦＡ0信号に変換されて、フォーカス駆動回路４４へと送られる。また、トラッキングエラー信号（ＴＥ）は、サーボ制御部３６によりレーザービームを光ディスク１のトラックセンター上に位置させるＴＡ0信号に変換されて、トラッキング駆動回路４４へと送られる。また、ディスクの回転信号は、サーボ制御部３６によりスピンドルモータ３１の駆動制御を行うモーター駆動信号に変換されて、スピンドルモーター駆動回路へと送られる。
【００５２】
そして、フォーカス駆動回路及びトラッキング駆動回路４４は、サーボ制御部３６から送られるＦＡ0信号及びＴＡ0信号に基づいて、光学ピックアップ３３のサーボ制御を行う。また、スピンドルモータ駆動回路３２は、サーボ制御部３６から送られるモーター駆動信号に基づいて、スピンドルモータ３１の駆動制御を行う。
【００５３】
この光ディスク装置３０では、記録時に、光ディスク１の信号記録層３に対して記録パワーでレーザービームを照射することにより、このレーザービームが照射された位置に記録マークを形成する。これにより、光ディスク１に対するデータの書き込みが行われる。一方、再生時には、記録マークが形成された信号記録層３に対して再生パワーでレーザービームを照射することにより、記録マークの有無に応じた戻り光の反射率変化を検出する。これにより、光ディスク１に対するデータの読み出しが行われる。
【００５４】
また、この光ディスク装置３０には、光ディスク１の全面に亘ってデータを消去する、いわゆるブランク（Blank）機能とともに、光ディスク１のデータが記録された論理トラック１６の目次情報のみを消去することにより、データを擬似的に消去する、いわゆるミニマリー・ブランク（Minimally Blank）機能が設けられている。すなわち、このミニマリー・ブランク機能では、目次情報であるＰＭＡ１５に記録されたデータと、リードインエリア１１及びリードアウトエリア１３に記録されたデータと、論理トラック１６のプレギャップ１７に記録されたデータとを消去すれば、プログラムエリア１２に記録されたデータを擬似的に消去することができる。したがって、光ディスク１に記録されたデータを最小時間で消去することが可能である。
【００５５】
次に、本発明を適用したデータ記録方法について、図８に示すフローチャートを参照しながら説明する。
【００５６】
先ず、ステップＳ１において、上記光ディスク１に対するデータの消去要求があり、ステップＳ２において、プログラムエリア１２に記録されたデータを擬似的に消去するデータ疑似消去（Minimally Blank）要求があると、ステップＳ３において、光ディスク装置３０が光ディスク１に対して、ＰＭＡ１５に記録されたデータと、データ記録領域１０のリードインエリア１１及びリードアウトエリア１３に記録されたデータと、論理トラック１６のプレギャップ１７に記録されたデータとを消去する。
【００５７】
これにより、ステップＳ４において、データの擬似消去が終了する。このとき、光ディスク１では、データが擬似的に消去された論理トラック１６に、実際には疑似的な消去が行われる前のデータが記録されている。すなわち、この光ディスク１では、データが記録された論理トラック１６の目次情報は消去されるものの、実際のデータは論理トラック１６に記録されたままである。
【００５８】
次に、ステップＳ５において、パケットライトによるデータの書き込み要求があると、ステップＳ６において、論理トラック１６のプレギャップ１７を参照して、新たなデータが記録可能な位置（ＮＷＡ）を検索する。そして、ステップＳ７において、このデータが擬似的に消去された論理トラック１６に対してパケット単位で新たなデータを記録する。なお、ここでは、データが擬似的消去された後の最初のデータ書き込み要求であることから、プレギャップ１７には、データが記録されたパケット１９の最終位置を示す情報は記録されておらず、データが記録されていない状態と判断して、この論理トラック１６の先頭から新たなデータを追記することになる。
【００５９】
次に、ステップＳ８において、論理トラック１６のプレギャップ１７に、データが記録されたパケット１９の最終位置を示す情報を記録する。
【００６０】
なお、光ディスク１では、複数の論理トラック１６を有する場合、先頭の論理トラック１６のプレギャップ１７に、パケット１９の最終位置を示す情報を記録することになる。また、光ディスク１では、複数のセッションにより構成された場合、先頭のセッションのリードインエリア１１及びリードアウトエリア１３に、論理トラック１６の目次情報等を記録することになる。そして、この光ディスク１の場合、ステップＳ２において、データ疑似消去要求があると、ステップＳ３において、光ディスク装置３０が光ディスク１に対して、ＰＭＡ１５に記録されたデータと、先頭のセッションのリードインエリア１１及びリードアウトエリア１３に記録されたデータと、先頭の論理トラック１６のプレギャップ１７に記録されたデータとを消去することになる。
【００６１】
以上により、ステップＳ９において、パケットライトによるデータの追記が終了する。
【００６２】
ところで、従来、論理トラックに対するデータの擬似的な消去が行われた後に、パケットライトによるデータの追記が行われると、この論理トラックのデータが擬似的に消去された領域に、実際には疑似的な消去が行われる前のデータが記録されているために、この擬似的に消去されたデータを実際のデータと判断して、誤った位置からデータを追記してしまうことがあった。
【００６３】
それに対して、本手法では、ステップＳ８において、データが記録されたパケット１９の最終位置を示す情報を、論理トラック１６のプレギャップ１７に記録している。
【００６４】
このため、ステップＳ５において、パケットライトによる新たなデータの書き込み要求があると、ステップＳ６において、この論理トラック１６のプレギャップ１７に記録されたパケット１９の最終位置を示す情報を参照して、新たなデータが記録可能な位置（ＮＷＡ）を検索する。すなわち、このパケット１９の最終位置が、新たなデータが記録可能な位置（ＮＷＡ）であり、ステップＳ７において、このデータが記録されたパケットの最終位置から続けて、新たなデータをパケット単位で追記することになる。そして、ステップＳ８において、論理トラック１６のプレギャップ１７に、新たなデータが記録されたパケット１９の最終位置を示す情報を記録する。これにより、新たなデータが記録されたパケット１９の最終位置を示す情報が更新される。
【００６５】
このように、本手法では、データが記録されたパケット１９の最終位置を示す情報を論理トラック１６のプレギャップ１７に記録することから、データの擬似的な消去が行われた後に、パケットライトによるデータの追加記録を行う際に、このパケット１９の最終位置を示す情報に基づいて、データが擬似的に消去された論理トラック１６に対して新たなデータを記録することができる。
【００６６】
これにより、新たなデータが記録可能な位置ＮＷＡを正確に検出することが可能となり、データが擬似的に消去された論理トラック１６に対して新たなデータを適切に記録することが可能となる。
【００６７】
また、従来では、論理トラックの新たなデータが記録可能な位置ＮＷＡを、この論理トラックの先頭から末尾まで検索しながら探し出さなくてはならなかったの対し、本手法では、データが記録されたパケット１９の最終位置を示す情報が、論理トラック１６のプレギャップ１７に記録されていることから、新たなデータが記録可能な位置ＮＷＡの検索にかかる時間を大幅に短縮することができる。したがって、光ディスク１に対するデータの記録速度を大幅に高速化させることが可能である。
【００６８】
次に、本発明を適用したデータの記録方法の他の例について、図９に示すフローチャートを参照しながら説明する。
【００６９】
先ず、ステップＳ１０において、上記光ディスク１に対するデータの消去要求があり、ステップＳ１１において、プログラムエリア１２に記録されたデータを擬似的に消去するデータ疑似消去（Minimally Blank）要求があると、ステップＳ１２において、光ディスク装置３０が光ディスク１に対して、ＰＭＡ１５に記録されたデータと、データ記録領域１０のリードインエリア１１及びリードアウトエリア１３に記録されたデータと、論理トラック１６のプレギャップ１７に記録されたデータとを消去する。
【００７０】
次に、ステップ１３において、論理トラック１６のプレギャップ１７に、データが擬似的に消去されたことを示す疑似消去情報と、データが記録されたパケット１９の最終位置を示すパケット位置情報とを記録する。なお、このパケット位置情報は、論理トラック１６の疑似消去が行われる前のデータが記録されたパケット１９の最終位置を示す情報（ＬＰＡ）である。これにより、ステップＳ１４において、データの擬似消去が終了する。
【００７１】
次に、ステップＳ１５において、パケットライトによる新たなデータの書き込み要求があると、ステップＳ１６において、論理トラック１６のプレギャップ１７を参照して、データが擬似的に消去されたことを示す疑似消去情報があるか否かを判別する。そして、論理トラック１６のプレギャップ１７に疑似消去情報がある場合には、ステップＳ１７に進む。
【００７２】
ステップＳ１７では、論理トラック１６のプレギャップ１７に記録されたＬＰＡと、論理トラック１６の新たなデータが記録されるパケットの最終位置を示す情報（ＲＰＡ）とを比較する。すなわち、この論理トラック１６において、データが擬似的に消去されたパケットの最終位置まで、新たなデータが完全に上書き（更新）されるか否かを判別する。
【００７３】
ステップＳ１７において、ＬＰＡ≧ＲＰＡと判断された場合には、すなわちデータが擬似的に消去されたパケットの最終位置に対して、新たなデータを完全に上書きすることができないと判断されたときは、ステップＳ１８に進む。
【００７４】
ステップＳ１８では、論理トラック１６の先頭から新たなデータを記録する。そして、ステップＳ１９において、この新たなデータ記録されたパケットの最終位置からデータが擬似的に消去されたパケットの最終位置まで、この疑似消去が行われる前に記録されたデータを消去する。これにより、論理トラック１６では、疑似消去が行われる前に記録されたデータが残存することなく、新たなデータが追記されることになる。
【００７５】
次に、ステップＳ２０において、論理トラック１６のプレギャップ１７に記録された疑似消去情報を消去し、ステップＳ２１に進む。
【００７６】
一方、ステップＳ１７において、ＬＰＡ≦ＲＰＡと判断された場合には、すなわちデータが擬似的に消去されたパケットの最終位置に対して、新たなデータを完全に上書きすることができると判断されたときは、ステップＳ２２に進む。
【００７７】
ステップＳ２２では、論理トラック１６の先頭から新たなデータを記録する。
【００７８】
これにより、論理トラック１６では、疑似消去が行われる前に記録されたデータが残存することなく、新たなデータが追記されることになる。そして、上述したステップ２０に進む。
【００７９】
一方、ステップ１６において、論理トラック１６のプレギャップ１７に疑似消去情報がない場合には、ステップＳ２３に進む。
【００８０】
ステップ２３では、論理トラック１６のプレギャップ１７に記録されたパケット位置情報を参照して、新たなデータが記録可能な位置（ＮＷＡ）を検索する。そして、ステップＳ２４において、このデータが記録されたパケットの最終位置から新たなデータを追記し、ステップＳ２１に進む。
【００８１】
ステップＳ２１では、論理トラック１６のプレギャップ１７に、新たなデータが記録されたパケットの最終位置を示す情報を記録する。以上により、ステップＳ２４において、パケットライトによるデータの追記が終了する。
【００８２】
このように、本手法によれば、データの擬似的な消去が行われた後に、パケットライトによるデータの追記を行う際に、データが擬似的に消去された論理トラック１６に対して新たなデータを適切に記録することができる。また、論理トラック１６に疑似消去が行われる前に記録されたデータが残存してしまうのを防ぐことができる。また、新たなデータが記録可能な位置ＮＷＡを正確且つ短時間に検出することができ、光ディスク１に対するデータの記録速度を大幅に高速化させることができる。
【００８３】
なお、本手法では、ステップＳ１８及びステップＳ１９において、論理トラック１６の先頭から新たなデータを記録する前に、疑似消去が行われる前に記録されたデータを消去するようにしてもよい。
【００８４】
また、本手法では、論理トラック１６に対して最初のデータが記録された際に、この最初のデータが記録されたパケット１９の最終位置を示す情報を、論理トラック１６のプレギャップに記録するようにしてもよい。
【００８５】
また、疑似消去が行われる前に記録されたデータが、複数の論理トラック１６に拡散して存在している場合には、各論理トラック１６毎に、上述した手法が適用されることになる。すなわち、本手法では、上述した疑似消去情報やパケット位置情報が各論理トラック１６毎に記録されることにより、各論理トラック１６に対して新たなデータを適切に記録することができる。
【００８６】
ところで、上述した疑似消去情報及びパケット位置情報は、論理トラック１６のプレギャップ１７内におけるＴＤＢ(Track Descriptor Block)のリザーブ領域を拡張して記録されている。
【００８７】
この領域は、従来の光ディスク（ＣＤ−Ｒ、ＣＤ−ＲＷ等）において、もともと無意味と解釈されている領域なので、これら従来の光ディスクとの親和性にも優れている。したがって、本発明は、このような従来の光ディスクや光ディスク装置との互換性も確保しやすいといった利点を有している。
【００８８】
ここで、このようなプレギャップ１９内におけるＴＤＢ（Track Descriptor Block）のリザーブ領域を拡張する方法について説明する。
【００８９】
なお、図１０は、ＴＤＢのユーザデータフィールドを示す図であり、図１１は、ＴＤＢのフォーマットを示す図である。
【００９０】
このＴＤＢは、光ディスク１に対して、トラックアットワンス方式やセッションアットワンス方式によるデータの書き込みが行われた際に、各論理トラック１６の属性についてのユーザデータフィールド情報を含み、この論理トラック１６の属性を示すデータが記録される領域である。
【００９１】
ＴＤＢでは、図１０に示すように、オレンジブック規格において、バイト１３〜バイト２３、バイト２９〜バイト３９、バイト４５〜バイト５５及びバイト６１〜バイト７１が未使用とされた領域、すなわちリザーブ領域とされており、本例では、これらリザーブ領域に上述した疑似消去情報及びパケット位置情報を記録することになる。なお、レイアウトについては任意である。例えば、本例では、図１１に示すように、バイト１４に疑似消去情報が記録され、バイト１６〜バイト１９にパケット位置情報が記録される。このように、従来の光ディスクや光ディスク装置との親和性を確保することが可能である。
【００９２】
【発明の効果】
以上詳細に説明したように、本発明によれば、新たなデータが記録可能な位置を正確且つ短時間に検出することができ、データが擬似的に消去されたトラックに対して新たなデータを適切に記録することができる。
【図面の簡単な説明】
【図１】本発明を適用した光ディスクの一例を示す要部断面図である。
【図２】上記光ディスクのディスク基板を示す要部斜視図である。
【図３】上記光ディスクのディスク基板を示す要部平面図である。
【図４】ＡＴＩＰ信号を説明するための図である。
【図５】上記光ディスクのデータ構造を説明するための図である。
【図６】上記光ディスクのデータ構造を説明するための図であり、（ａ）は、プログラムエリアの構成を説明するための図であり、（ｂ）は、論理トラックの構成を説明するための図であり、（ｃ）は、パケットの構成を説明するための図である。
【図７】本発明を適用した光ディスク装置の一例を示す概略構成図である。
【図８】本発明を適用したデータ記録方法を説明するためのフローチャートである。
【図９】本発明を適用した別のデータ記録方法を説明するためのフローチャートである。
【図１０】ＴＤＢのユーザデータフィールドを示す図である。
【図１１】ＴＤＢのフォーマットを示す図である。
【符号の説明】
１  光ディスク、１０  データ記録領域、１１  リードインエリア、１２  プログラムエリア、１３  リードアウトエリア、１４  ＰＣＡ、１５  ＰＭＡ、１６  論理トラック、１７  プレギャップ、１９  パケット、３０  光ディスク装置
【図１】
0004438172.tif 000002
【図２】
0004438172.tif 000003
【図３】
0004438172.tif 000004
【図４】
0004438172.tif 000005
【図５】
0004438172.tif 000006
【図６】
0004438172.tif 000007
【図７】
0004438172.tif 000008
【図８】
0004438172.tif 000009
【図９】
0004438172.tif 000010
【図１０】
0004438172.tif 000011
【図１１】
0004438172.tif 000012